(57)【要約】  【課題】  本発明者は、組立て式棚の組立ては工具の扱いに慣れていない子供または女性などのようなユーザーにとってもたやすいことが望ましいと考えている。  【解決手段】  ４枚の板部材１１０、１２０、１３０および１４０を備えた組立て式棚キットであって、組立て式棚１００が組立てられるときには、たとえば、組立てスリット１１１は相手の組立てスリット１３１のスリット延長部分１３１ａに嵌込まれ、組立てスリット１３１は相手の組立てスリット１１１のスリット延長部分１１１ａに嵌込まれる組立て式棚キットである。【選択図】  図１
2018175794.tif 000002
【特許請求の範囲】
【請求項１】
複数枚の板部材を備えた組立て式棚キットであって、
前記複数枚の板部材の各々には、組立て式棚を組立てるための組立てスリットが形成されており、
前記組立てスリットは、互いに一対一で対応付けられており、
前記組立て式棚が組立てられるときには、対応付けられた二つの前記組立てスリットは、互いに嵌合わせられながら、相手のスリット延長部分に嵌込まれることを特徴とする組立て式棚キット。
【請求項２】
前記複数枚の板部材は、複数枚の縦置きされる板部材と、複数枚の横置きされる板部材と、であり、
前記複数枚の縦置きされる板部材の前記組立てスリットの総合計個数と、前記複数枚の横置きされる板部材の前記組立てスリットの総合計個数と、は、等しく、
前記複数枚の縦置きされる板部材の前記組立てスリットと、前記複数枚の横置きされる板部材の前記組立てスリットと、が、互いに一対一で対応付けられていることを特徴とする請求項１に記載の組立て式棚キット。
【請求項３】
前記組立て式棚のひしゃげ変形および撓み変形の少なくとも一方を防止するための変形防止部材を備えたことを特徴とする請求項１または２に記載の組立て式棚キット。
【請求項４】
前記組立て式棚を他の組立て式棚と連結するための棚連結部材を備えたことを特徴とする請求項１から３の何れかに記載の組立て式棚キット。
【請求項５】
前記板部材には、前記組立て式棚が組立てられたときに前記板部材を屈曲させるための折り目が形成されていることを特徴とする請求項１から４の何れかに記載の組立て式棚キット。
【発明の詳細な説明】
【技術分野】
【０００１】
本発明は、組立て式棚のための組立て式棚キットに関する。
【背景技術】
【０００２】
組立て式棚のための組立て式棚キットが、知られている。
【０００３】
組立て式棚は、ユーザーが必要に応じて組み立てればよい便利な室内品であり、一般家庭などにも広く普及している。
【発明の概要】
【発明が解決しようとする課題】
【０００４】
ところで、本発明者は、組立て式棚の組立ては工具の扱いに慣れていない子供または女性などのようなユーザーにとってもたやすいことが望ましいと考えている。
【０００５】
たとえば、本発明者は、組立て式棚はドライバーまたはハンマーなどのような工具なしに組立て可能であることが望ましいと考えている。
【０００６】
本発明は、上述された従来の課題を考慮し、組立て式棚をよりたやすく組立てることができる組立て式棚キットを提供することを目的とする。
【課題を解決するための手段】
【０００７】
第１の本発明は、複数枚の板部材を備えた組立て式棚キットであって、
前記複数枚の板部材の各々には、組立て式棚を組立てるための組立てスリットが形成されており、
前記組立てスリットは、互いに一対一で対応付けられており、
前記組立て式棚が組立てられるときには、対応付けられた二つの前記組立てスリットは、互いに嵌合わせられながら、相手のスリット延長部分に嵌込まれることを特徴とする組立て式棚キットである。
【０００８】
第２の本発明は、前記複数枚の板部材は、複数枚の縦置きされる板部材と、複数枚の横置きされる板部材と、であり、
前記複数枚の縦置きされる板部材の前記組立てスリットの総合計個数と、前記複数枚の横置きされる板部材の前記組立てスリットの総合計個数と、は、等しく、
前記複数枚の縦置きされる板部材の前記組立てスリットと、前記複数枚の横置きされる板部材の前記組立てスリットと、が、互いに一対一で対応付けられていることを特徴とする第１の本発明の組立て式棚キットである。
【０００９】
第３の本発明は、前記組立て式棚のひしゃげ変形および撓み変形の少なくとも一方を防止するための変形防止部材を備えたことを特徴とする第１または第２の本発明の組立て式棚キットである。
【００１０】
第４の本発明は、前記組立て式棚を他の組立て式棚と連結するための棚連結部材を備えたことを特徴とする第１から第３の何れかの本発明の組立て式棚キットである。
【００１１】
第５の本発明は、前記板部材には、前記組立て式棚が組立てられたときに前記板部材を屈曲させるための折り目が形成されていることを特徴とする第１から第４の何れかの本発明の組立て式棚キットである。
【発明の効果】
【００１２】
本発明により、組立て式棚をよりたやすく組立てることが可能な組立て式棚キットを提供することができる。
【図面の簡単な説明】
【００１３】
【図１】本発明における実施の形態の組立て式棚キットの模式的な斜視図
【図２】本発明における実施の形態の組立て式棚の模式的な斜視図（その一）
【図３】本発明における実施の形態の組立て式棚キットの模式的な部分斜視図（その一）
【図４】本発明における実施の形態の組立て式棚キットの模式的な部分斜視図（その二）
【図５】本発明における実施の形態の組立て式棚キットの模式的な部分斜視図（その三）
【図６】本発明における実施の形態の組立て式棚キットの模式的な部分斜視図（その四）
【図７】（ａ）本発明における実施の形態の組立て式棚の模式的な斜視図（その二）、（ｂ）本発明における実施の形態の組立て式棚キットの模式的な部分背面図
【図８】本発明における第１の別の実施の形態の組立て式棚の模式的な斜視図
【図９】（ａ）本発明における第１の別の実施の形態の組立て式棚の模式的な部分背面図、（ｂ）本発明における第１の別の実施の形態の組立て式棚の模式的な部分斜視図
【図１０】（ａ）本発明における第２の別の実施の形態の組立て式棚の模式的な拡大部分斜視図、（ｂ）本発明における第３の別の実施の形態の組立て式棚の模式的な拡大部分斜視図
【図１１】（ａ）本発明における第４の別の実施の形態の組立て式棚の模式的な拡大部分斜視図、（ｂ）本発明における第５の別の実施の形態の組立て式棚の模式的な拡大部分斜視図
【図１２】（ａ）本発明における第６の別の実施の形態の組立て式棚の模式的な拡大部分斜視図、（ｂ）本発明における第７の別の実施の形態の組立て式棚の模式的な拡大部分背面図
【図１３】本発明における第８の別の実施の形態の組立て式棚の模式的な拡大部分断面図
【図１４】本発明における実施の形態の組立て式棚の模式的な斜視図（その三）
【図１５】本発明における第９の別の実施の形態の組立て式棚の模式的な斜視図
【図１６】本発明における第１０の別の実施の形態の組立て式棚の模式的な背面図
【発明を実施するための形態】
【００１４】
以下、図面を参照しながら、本発明における実施の形態について詳細に説明する。
【００１５】
はじめに、図１および２を主として参照しながら、本実施の形態の組立て式棚キットについて具体的に説明する。
【００１６】
ここに、図１は本発明における実施の形態の組立て式棚キットの模式的な斜視図であり、図２は本発明における実施の形態の組立て式棚１００の模式的な斜視図（その一）である。
【００１７】
図２においては、組立てられた組立て式棚１００を後側から見ている。
【００１８】
本実施の形態の組立て式棚キットは、４枚の板部材１１０、１２０、１３０および１４０を備える。
【００１９】
４枚の板部材１１０、１２０、１３０および１４０は、２枚の縦置きされる板部材１１０および１２０と、２枚の横置きされる板部材１３０および１４０と、である。
【００２０】
板部材１１０は組立て式棚１００の後側から見て左側の板部材として使用されており、板部材１２０は組立て式棚１００の後側から見て右側の板部材として使用されている。板部材１３０は上側の板部材として使用されており、板部材１４０は下側の板部材として使用されている。
【００２１】
２枚の縦置きされる板部材１１０および１２０と、２枚の横置きされる板部材１３０および１４０と、を利用して形成される棚部屋の背面視における形状は、矩形形状である。
【００２２】
上側の板部材として使用されている板部材１３０の上面、および下側の板部材として使用されている板部材１４０の上面には、物品が載置可能である。
【００２３】
ただし、板部材１１０、１２０、１３０および１４０の形状は同じであるので、たとえば、板部材１１０は左側の板部材として使用されてもよいし、右側の板部材として使用されてもよいし、上側の板部材として使用されてもよいし、下側の板部材として使用されてもよい。板部材１１０、１２０、１３０および１４０を区別する必要がないこのような対称性に優れた仕様は、組立て式棚１００の組立てにおけるユーザーの負担を軽減し、たとえば、最大で８００ミリメートル×５５０ミリメートルの大板素材からのロスのない板部材切出しが実現されるので、製造コスト削減を促進する。
【００２４】
本発明における実施の形態の組立て式棚キットの模式的な部分斜視図（その一）である図３に示されているように、板部材１１０の形状は、組立て式棚高さ方向における板部材長さＡ１、組立て式棚奥行き方向における板部材長さＢ１、および板部材厚さｔ１の略矩形板形状である。
【００２５】
本発明における実施の形態の組立て式棚キットの模式的な部分斜視図（その二）である図４に示されているように、板部材１２０の形状は、組立て式棚高さ方向における板部材長さＡ２、組立て式棚奥行き方向における板部材長さＢ２、および板部材厚さｔ２の略矩形板形状である。
【００２６】
本発明における実施の形態の組立て式棚キットの模式的な部分斜視図（その三）である図５に示されているように、板部材１３０の形状は、組立て式棚幅方向における板部材長さＡ３、組立て式棚奥行き方向における板部材長さＢ３、および板部材厚さｔ３の略矩形板形状である。
【００２７】
本発明における実施の形態の組立て式棚キットの模式的な部分斜視図（その四）である図６に示されているように、板部材１４０の形状は、組立て式棚幅方向における板部材長さＡ４、組立て式棚奥行き方向における板部材長さＢ４、および板部材厚さｔ４の略矩形板形状である。
【００２８】
本実施の形態においては、板部材１１０、１２０、１３０および１４０は、多数の紙材が一体的に貼合わせられた集成紙材を利用して形成されている。
【００２９】
変形例の実施の形態においては、たとえば、板部材１１０、１２０、１３０および１４０は無垢木材、プラスチック材、またはアルミニウム合金材を利用して形成されていてもよい。
【００３０】
本実施の形態においては、板部材１１０、１２０、１３０および１４０の形状は上述されたように同じであるので、
（数１）
Ａ１＝Ａ２＝Ａ３＝Ａ４＝２００［ｍｍ］
（数２）
Ｂ１＝Ｂ２＝Ｂ３＝Ｂ４＝２７５［ｍｍ］
（数３）
ｔ１＝ｔ２＝ｔ３＝ｔ４＝１０［ｍｍ］
であり、組立て式棚１００は組立て式棚高さ方向および組立て式棚幅方向に関して対称的である。
【００３１】
変形例の実施の形態においては、たとえば、
（数４）
Ａ３＜Ａ４
であり、組立て式棚１００は組立て式棚高さ方向に関して非対称的であってもよい。
【００３２】
板部材１１０には、組立て式棚１００を組立てるための組立てスリット１１１および１１２が形成されている。板部材１２０には、組立て式棚１００を組立てるための組立てスリット１２１および１２２が形成されている。
【００３３】
組立てスリット１１１および１２１は上側の組立てスリットとして使用されており、組立てスリット１１２および１２２は下側の組立てスリットとして使用されている。
【００３４】
本実施の形態においては、組立てスリット１１１および１２１の組立てスリット切込み向きと、組立てスリット１１２および１２２の組立てスリット切込み向きと、は、組立て式棚１００の後側から前側へ向かう向きであって、同じである。
【００３５】
変形例の実施の形態においては、組立てスリット１１１および１２１の組立てスリット切込み向きと、組立てスリット１１２および１２２の組立てスリット切込み向きと、は同じでなくてもよい。
【００３６】
板部材１３０には、組立て式棚１００を組立てるための組立てスリット１３１および１３２が形成されている。板部材１４０には、組立て式棚１００を組立てるための組立てスリット１４１および１４２が形成されている。
【００３７】
組立てスリット１３１および１４１は組立て式棚１００の後側から見て左側の組立てスリットとして使用されており、組立てスリット１３２および１４２は組立て式棚１００の後側から見て右側の組立てスリットとして使用されている。
【００３８】
本実施の形態においては、組立てスリット１３１および１４１の組立てスリット切込み向きと、組立てスリット１３２および１４２の組立てスリット切込み向きと、は、組立て式棚１００の前側から後側へ向かう向きであって、同じである。
【００３９】
変形例の実施の形態においては、組立てスリット１３１および１４１の組立てスリット切込み向きと、組立てスリット１３２および１４２の組立てスリット切込み向きと、は同じでなくてもよい。
【００４０】
組立てスリット１１１、１１２、１２１、１２２、１３１、１３２、１４１および１４２は、互いに一対一で対応付けられている。
【００４１】
２枚の縦置きされる板部材１１０および１２０の組立てスリット１１１、１１２、１２１および１２２の総合計個数（＝４）と、２枚の横置きされる板部材１３０および１４０の組立てスリット１３１、１３２、１４１および１４２の総合計個数（＝４）と、は、等しく、２枚の縦置きされる板部材１１０および１２０の組立てスリット１１１、１１２、１２１および１２２と、２枚の横置きされる板部材１３０および１４０の組立てスリット１３１、１３２、１４１および１４２と、が、互いに一対一で対応付けられている。
【００４２】
より具体的に説明すると、以下の通りである。
【００４３】
縦置きされる板部材１１０の組立てスリット１１１と、横置きされる板部材１３０の組立てスリット１３１と、が、互いに対応付けられている。縦置きされる板部材１１０の組立てスリット１１２と、横置きされる板部材１４０の組立てスリット１４１と、が、互いに対応付けられている。縦置きされる板部材１２０の組立てスリット１２１と、横置きされる板部材１３０の組立てスリット１３２と、が、互いに対応付けられている。縦置きされる板部材１２０の組立てスリット１２２と、横置きされる板部材１４０の組立てスリット１４２と、が、互いに対応付けられている。
【００４４】
組立て式棚１００が組立てられるときには、対応付けられた二つの組立てスリット１１１および１３１は、互いに嵌合わせられながら、嵌込まれる。組立てスリット１１１は相手の組立てスリット１３１のスリット延長部分１３１ａに嵌込まれ、組立てスリット１３１は相手の組立てスリット１１１のスリット延長部分１１１ａに嵌込まれる。
【００４５】
縦置きされる板部材１１０の組立てスリット１１１の組立てスリット径δ１１は横置きされる板部材１３０の板部材厚さｔ３よりやや大きく、横置きされる板部材１３０の組立てスリット１３１の組立てスリット径δ３１は縦置きされる板部材１１０の板部材厚さｔ１よりやや大きい。したがって、対応付けられた二つの組立てスリット１１１および１３１は、たやすく互いに嵌合わせられながら、嵌込まれる。
【００４６】
縦置きされる板部材１１０の組立てスリット１１１の組立てスリット長λ１１と、横置きされる板部材１３０の組立てスリット１３１の組立てスリット長λ３１と、の和は、縦置きされる板部材１１０の板部材長さＢ１、すなわち、横置きされる板部材１３０の板部材長さＢ３にほぼ等しい。したがって、対応付けられた二つの組立てスリット１１１および１３１は、互いに嵌合わせられながら、しっかりと嵌込まれる。
【００４７】
本実施の形態においては、
（数５）
λ１１＝λ３１≒１３７．５（＝２７５／２）［ｍｍ］
であり、縦置きされる板部材１１０の組立てスリット１１１の組立てスリット長λ１１と、横置きされる板部材１３０の組立てスリット１３１の組立てスリット長λ３１と、は等しい。
【００４８】
変形例の実施の形態においては、たとえば、
（数６）
λ１１＜λ３１
であり、縦置きされる板部材１１０の組立てスリット１１１の組立てスリット長λ１１と、横置きされる板部材１３０の組立てスリット１３１の組立てスリット長λ３１と、は等しくなくてもよい。
【００４９】
組立て式棚１００が組立てられるときには、対応付けられた二つの組立てスリット１１２および１４１は、互いに嵌合わせられながら、嵌込まれる。組立てスリット１１２は相手の組立てスリット１４１のスリット延長部分１４１ａに嵌込まれ、組立てスリット１４１は相手の組立てスリット１１２のスリット延長部分１１２ａに嵌込まれる。
【００５０】
縦置きされる板部材１１０の組立てスリット１１２の組立てスリット径δ１２は横置きされる板部材１４０の板部材厚さｔ４よりやや大きく、横置きされる板部材１４０の組立てスリット１４１の組立てスリット径δ４１は縦置きされる板部材１１０の板部材厚さｔ１よりやや大きい。したがって、対応付けられた二つの組立てスリット１１２および１４１は、たやすく互いに嵌合わせられながら、嵌込まれる。
【００５１】
縦置きされる板部材１１０の組立てスリット１１２の組立てスリット長λ１２と、横置きされる板部材１４０の組立てスリット１４１の組立てスリット長λ４１と、の和は、縦置きされる板部材１１０の板部材長さＢ１、すなわち、横置きされる板部材１４０の板部材長さＢ４にほぼ等しい。したがって、対応付けられた二つの組立てスリット１１２および１４１は、互いに嵌合わせられながら、しっかりと嵌込まれる。
【００５２】
本実施の形態においては、
（数７）
λ１２＝λ４１≒１３７．５（＝２７５／２）［ｍｍ］
であり、縦置きされる板部材１１０の組立てスリット１１２の組立てスリット長λ１２と、横置きされる板部材１４０の組立てスリット１４１の組立てスリット長λ４１と、は等しい。
【００５３】
変形例の実施の形態においては、たとえば、
（数８）
λ１２＜λ４１
であり、縦置きされる板部材１１０の組立てスリット１１２の組立てスリット長λ１２と、横置きされる板部材１４０の組立てスリット１４１の組立てスリット長λ４１と、は等しくなくてもよい。
【００５４】
組立て式棚１００が組立てられるときには、対応付けられた二つの組立てスリット１２１および１３２は、互いに嵌合わせられながら、嵌込まれる。組立てスリット１２１は相手の組立てスリット１３２のスリット延長部分１３２ａに嵌込まれ、組立てスリット１３２は相手の組立てスリット１２１のスリット延長部分１２１ａに嵌込まれる。
【００５５】
縦置きされる板部材１２０の組立てスリット１２１の組立てスリット径δ２１は横置きされる板部材１３０の板部材厚さｔ３よりやや大きく、横置きされる板部材１３０の組立てスリット１３２の組立てスリット径δ３２は縦置きされる板部材１２０の板部材厚さｔ２よりやや大きい。したがって、対応付けられた二つの組立てスリット１２１および１３２は、たやすく互いに嵌合わせられながら、嵌込まれる。
【００５６】
縦置きされる板部材１２０の組立てスリット１２１の組立てスリット長λ２１と、横置きされる板部材１３０の組立てスリット１３２の組立てスリット長λ３２と、の和は、縦置きされる板部材１２０の板部材長さＢ２、すなわち、横置きされる板部材１３０の板部材長さＢ３にほぼ等しい。したがって、対応付けられた二つの組立てスリット１２１および１３２は、互いに嵌合わせられながら、しっかりと嵌込まれる。
【００５７】
本実施の形態においては、
（数９）
λ２１＝λ３２≒１３７．５（＝２７５／２）［ｍｍ］
であり、縦置きされる板部材１２０の組立てスリット１２１の組立てスリット長λ２１と、横置きされる板部材１３０の組立てスリット１３２の組立てスリット長λ３２と、は等しい。
【００５８】
変形例の実施の形態においては、たとえば、
（数１０）
λ２１＜λ３２
であり、縦置きされる板部材１２０の組立てスリット１２１の組立てスリット長λ２１と、横置きされる板部材１３０の組立てスリット１３２の組立てスリット長λ３２と、は等しくなくてもよい。
【００５９】
組立て式棚１００が組立てられるときには、対応付けられた二つの組立てスリット１２２および１４２は、互いに嵌合わせられながら、嵌込まれる。組立てスリット１２２は相手の組立てスリット１４２のスリット延長部分１４２ａに嵌込まれ、組立てスリット１４２は相手の組立てスリット１２２のスリット延長部分１２２ａに嵌込まれる。
【００６０】
縦置きされる板部材１２０の組立てスリット１２２の組立てスリット径δ２２は横置きされる板部材１４０の板部材厚さｔ４よりやや大きく、横置きされる板部材１４０の組立てスリット１４２の組立てスリット径δ４２は縦置きされる板部材１２０の板部材厚さｔ２よりやや大きい。したがって、対応付けられた二つの組立てスリット１２２および１４２は、たやすく互いに嵌合わせられながら、嵌込まれる。
【００６１】
縦置きされる板部材１２０の組立てスリット１２２の組立てスリット長λ２２と、横置きされる板部材１４０の組立てスリット１４２の組立てスリット長λ４２と、の和は、縦置きされる板部材１２０の板部材長さＢ２、すなわち、横置きされる板部材１４０の板部材長さＢ４にほぼ等しい。したがって、対応付けられた二つの組立てスリット１２２および１４２は、互いに嵌合わせられながら、しっかりと嵌込まれる。
【００６２】
本実施の形態においては、
（数１１）
λ２２＝λ４２≒１３７．５（＝２７５／２）［ｍｍ］
であり、縦置きされる板部材１２０の組立てスリット１２２の組立てスリット長λ２２と、横置きされる板部材１４０の組立てスリット１４２の組立てスリット長λ４２と、は等しい。
【００６３】
変形例の実施の形態においては、たとえば、
（数１２）
λ２２＜λ４２
であり、縦置きされる板部材１２０の組立てスリット１２２の組立てスリット長λ２２と、横置きされる板部材１４０の組立てスリット１４２の組立てスリット長λ４２と、は等しくなくてもよい。
【００６４】
このように、組立て式棚１００はドライバーまたはハンマーなどのような工具なしに組立て可能であり、組立て式棚１００の組立ては、組立てスリット１１１、１１２、１２１、１２２、１３１、１３２、１４１および１４２の組立てスリット嵌込みによって直ちに完了するので、工具の扱いに慣れていない子供または女性などのようなユーザーにとってもたやすい。
【００６５】
つぎに、本実施の形態の組立て式棚キットについてより具体的に説明する。
【００６６】
（Ａ）本実施の形態の組立て式棚キットは、組立て式棚１００のひしゃげ変形および撓み変形の少なくとも一方を防止するための変形防止部材１５０を備える。
【００６７】
本実施の形態においては、図７に示されているように、変形防止部材１５０の形状は、略矩形細板形状である。
【００６８】
ここに、図７（ａ）は本発明における実施の形態の組立て式棚１００の模式的な斜視図（その二）であり、図７（ｂ）は本発明における実施の形態の組立て式棚キットの模式的な部分背面図である。
【００６９】
図７（ａ）においては、組立て式棚１００を後側から見ており、オプショナルな変形防止部材１５０はユーザーが物品を下側の板部材として使用されている板部材１４０の上面に載置するときに邪魔にならないように後側から装着されている。
【００７０】
集成紙材、無垢木材、プラスチック材、またはアルミニウム合金材などを利用して板部材１１０、１２０、１３０および１４０と同様に形成されており、形状が略矩形細板形状である、変形防止部材１５０の左および右側の突端部分１５０ａは、組立て式棚１００の組立てにおける組立てスリット１１１、１１２、１２１、１２２、１３１、１３２、１４１および１４２の組立てスリット嵌込みの前に、２枚の縦置きされる板部材１１０および１２０にそれぞれ挿通される。
【００７１】
したがって、上述された変形防止部材１５０は、略矩形細板形状の短手方向における変形防止部材長さがあまり大きくなくても、左右方向における揺れをともなう組立て式棚１００のひしゃげ変形、および２枚の縦置きされる板部材１１０および１２０に関しての組立て式棚１００の撓み変形を効果的に防止することができる。
【００７２】
変形例の実施の形態においては、図８および９に示されているように、変形防止部材１５０の形状は、折畳み式蓋なし箱形状であってもよい。
【００７３】
ここに、図８は本発明における第１の別の実施の形態の組立て式棚１００の模式的な斜視図であり、図９（ａ）は本発明における第１の別の実施の形態の組立て式棚１００の模式的な部分背面図であり、図９（ｂ）は本発明における第１の別の実施の形態の組立て式棚１００の模式的な部分斜視図である。
【００７４】
図８においては、組立て式棚１００を後側から見ており、オプショナルな変形防止部材１５０はユーザーが物品を下側の板部材として使用されている板部材１４０の上面に載置するときに邪魔にならないように後側から装着されている。
【００７５】
図９（ａ）においては変形防止部材１５０の花弁部分幅
（数１３）
ｗ≒２０［ｍｍ］
の４つの花弁部分１５０ｂが折畳まれておらず、図９（ｂ）においては４つの花弁部分１５０ｂが折畳まれている。
【００７６】
形状が折畳み式蓋なし箱形状である、変形防止部材１５０の４つの花弁部分１５０ｂは、組立て式棚１００の組立てにおける組立てスリット１１１、１１２、１２１、１２２、１３１、１３２、１４１および１４２の組立てスリット嵌込みの後に、２枚の縦置きされる板部材１１０および１２０、ならびに２枚の横置きされる板部材１３０および１４０にそれぞれ係止される。
【００７７】
したがって、上述された変形防止部材１５０は、左右方向における揺れをともなう組立て式棚１００のひしゃげ変形、および２枚の縦置きされる板部材１１０および１２０、ならびに２枚の横置きされる板部材１３０および１４０に関しての組立て式棚１００の撓み変形を効果的に防止することができる。
【００７８】
変形例の実施の形態においては、図１０（ａ）に示されているように、変形防止部材１５０の形状は、椀形状であってもよい。
【００７９】
ここに、図１０（ａ）は、本発明における第２の別の実施の形態の組立て式棚１００の模式的な拡大部分斜視図である。
【００８０】
図１０（ａ）においては、組立て式棚１００を後側から見ており、オプショナルな変形防止部材１５０はスリット延長部分１３２ａに近接するように矢印Ｘに沿って後側から装着されている。
【００８１】
形状が椀形状である、変形防止部材１５０の周縁部分１５０ｃは、組立て式棚１００の組立てにおける組立てスリット１１１、１１２、１２１、１２２、１３１、１３２、１４１および１４２の組立てスリット嵌込みの後に、縦置きされる板部材１２０の２つの切り目１２０ａ、ならびに横置きされる板部材１３０の２つの切り目１３０ａに係止される。
【００８２】
したがって、上述された変形防止部材１５０は、左右方向における揺れをともなう組立て式棚１００のひしゃげ変形、および縦置きされる板部材１２０および横置きされる板部材１３０に関しての組立て式棚１００の撓み変形を効果的に防止することができる。
【００８３】
もちろん、形状が同様な椀形状である、単数または複数の変形防止部材１５０は、スリット延長部分１１１ａ、１１２ａ、１２１ａ、１２２ａ、１３１ａ、１３２ａ、１４１ａおよび１４２ａの全部または一部に近接するように装着されてもよい。
【００８４】
変形例の実施の形態においては、図１０（ｂ）に示されているように、変形防止部材１５０の形状は、蓋なし箱形状であってもよい。
【００８５】
ここに、図１０（ｂ）は、本発明における第３の別の実施の形態の組立て式棚１００の模式的な拡大部分斜視図である。
【００８６】
図１０（ｂ）においては、組立て式棚１００を後側から見ており、オプショナルな変形防止部材１５０はスリット延長部分１３２ａに近接するように矢印Ｘに沿って後側から装着されている。
【００８７】
形状が蓋なし箱形状である、変形防止部材１５０の周縁部分１５０ｃは、組立て式棚１００の組立てにおける組立てスリット１１１、１１２、１２１、１２２、１３１、１３２、１４１および１４２の組立てスリット嵌込みの後に、縦置きされる板部材１２０の２つの切り目１２０ａ、ならびに横置きされる板部材１３０の２つの切り目１３０ａに係止される。
【００８８】
したがって、上述された変形防止部材１５０は、左右方向における揺れをともなう組立て式棚１００のひしゃげ変形、および縦置きされる板部材１２０および横置きされる板部材１３０に関しての組立て式棚１００の撓み変形を効果的に防止することができる。
【００８９】
もちろん、形状が同様な蓋なし箱形状である、単数または複数の変形防止部材１５０は、スリット延長部分１１１ａ、１１２ａ、１２１ａ、１２２ａ、１３１ａ、１３２ａ、１４１ａおよび１４２ａの全部または一部に近接するように装着されてもよい。
【００９０】
いうまでもなく、図１１に示されているように、変形防止部材１５０の４つの切り目１５０ｄが、縦置きされる板部材１２０の２つの切り目１２０ａ、ならびに横置きされる板部材１３０の２つの切り目１３０ａの代わりに形成されていてもよい。
【００９１】
ここに、図１１（ａ）は本発明における第４の別の実施の形態の組立て式棚１００の模式的な拡大部分斜視図であり、図１１（ｂ）は本発明における第５の別の実施の形態の組立て式棚１００の模式的な拡大部分斜視図である。
【００９２】
変形例の実施の形態においては、図１２に示されているように、変形防止部材１５０の形状は、Ｌ字折曲げ板形状であってもよい。
【００９３】
ここに、図１２（ａ）は本発明における第６の別の実施の形態の組立て式棚１００の模式的な拡大部分斜視図であり、図１２（ｂ）は本発明における第７の別の実施の形態の組立て式棚１００の模式的な拡大部分背面図である。
【００９４】
図１２においては、組立て式棚１００を後側から見ており、オプショナルな変形防止部材１５０はスリット延長部分１３２ａに近接するように装着されている。
【００９５】
形状がＬ字折曲げ板形状である、変形防止部材１５０は、組立て式棚１００の組立てにおける組立てスリット１１１、１１２、１２１、１２２、１３１、１３２、１４１および１４２の組立てスリット嵌込みの後に、縦置きされる板部材１２０と、横置きされる板部材１３０と、の間のＬ字アングルに取付けられる。形状がＬ字折曲げ板形状である４つの取付け部分１５０ｅが、形状が十字板形状であるキャップ部分１５０ｆにより連結されていると、変形防止効果が向上される。これらの取付けには、接着剤が利用されてもよいし、ボルトが利用されてもよい。
【００９６】
したがって、上述された変形防止部材１５０は、左右方向における揺れをともなう組立て式棚１００のひしゃげ変形、および縦置きされる板部材１２０および横置きされる板部材１３０に関しての組立て式棚１００の撓み変形を効果的に防止することができる。
【００９７】
もちろん、形状が同様なＬ字折曲げ板形状である、単数または複数の変形防止部材１５０は、スリット延長部分１１１ａ、１１２ａ、１２１ａ、１２２ａ、１３１ａ、１３２ａ、１４１ａおよび１４２ａの全部または一部に近接するように装着されてもよい。
【００９８】
変形例の実施の形態においては、図１３に示されているように、変形防止部材１５０の形状は、両端飛出し貫通ピン形状であってもよい。
【００９９】
ここに、図１３は、本発明における第８の別の実施の形態の組立て式棚１００の模式的な拡大部分断面図である。
【０１００】
図１３においては、組立て式棚１００を前側から見ており、オプショナルな変形防止部材１５０は横置きされる板部材１３０の組立てスリット１３１の下方に装着されている。
【０１０１】
形状が両端飛出し貫通ピン形状である、変形防止部材１５０は、組立て式棚１００の組立てにおける組立てスリット１１１、１１２、１２１、１２２、１３１、１３２、１４１および１４２の組立てスリット嵌込みの後に、横置きされる板部材１３０の下方で縦置きされる板部材１１０に挿通される。
【０１０２】
したがって、上述された変形防止部材１５０は、横置きされる板部材１３０に関しての組立て式棚１００の撓み変形を効果的に防止することができる。
【０１０３】
もちろん、形状が同様な両端飛出し貫通ピン形状である、単数または複数の変形防止部材１５０は、組立てスリット１３１、１３２、１４１および１４２の全部または一部の下方に装着されてもよい。
【０１０４】
いうまでもなく、形状が両端飛出し貫通ピン形状である、変形防止部材１５０には、抜止め割ピンが両端に挿入されてもよいし、横置きされる板部材１３０および１４０の全部または一部を下方から支持する抜止めナットが両端に締結されてもよい。そして、変形防止部材１５０が横置きされる板部材１３０および１４０の全部または一部を下方から支持するボルト頭部を有する貫通ボルト形状であって、横置きされる板部材１３０および１４０の全部または一部を下方から支持する抜止めナットがボルト尾部に締結されてもよい。
【０１０５】
（Ｂ）図１４に示されているように、本実施の形態の組立て式棚キットは、組立て式棚１００を他の組立て式棚２００と連結するための棚連結部材１６０を備える。
【０１０６】
ここに、図１４は、本発明における実施の形態の組立て式棚１００の模式的な斜視図（その三）である。
【０１０７】
図１４においては、集成紙材、無垢木材、プラスチック材、またはアルミニウム合金材などを利用して板部材１１０、１２０、１３０および１４０と同様に形成されており、形状が略矩形板形状である、オプショナルな２つの棚連結部材１６０により連結されている、組立て式棚１００および他の組立て式棚２００を後側から見ている。
【０１０８】
他の組立て式棚２００の構成は組立て式棚１００の構成と同様であり、他の組立て式棚２００の組立て式棚キットは、２枚の縦置きされる板部材２１０および２２０と、２枚の横置きされる板部材２３０および２４０と、である４枚の板部材２１０、２２０、２３０および２４０を備える。板部材２１０は組立て式棚２００の後側から見て左側の板部材として使用されており、板部材２２０は組立て式棚２００の後側から見て右側の板部材として使用されている。板部材２３０は上側の板部材として使用されており、板部材２４０は下側の板部材として使用されている。
【０１０９】
上側の棚連結部材１６０は４つの棚連結ピン１６１を利用して板部材１３０を板部材２３０と連結し、下側の棚連結部材１６０は４つの棚連結ピン１６１を利用して板部材１４０を板部材２４０と連結する。
【０１１０】
２つの棚連結部材１６０の上面にも、物品は載置可能である。
【０１１１】
変形例の実施の形態においては、図１５に示されているように、組立て式棚キットは、組立て式棚１００′を他の組立て式棚２００′と連結するための４つの棚連結部材１６０′を備えていてもよい。
【０１１２】
ここに、図１５は、本発明における第９の別の実施の形態の組立て式棚１００′の模式的な斜視図である。
【０１１３】
組立て式棚１００′の構成は組立て式棚１００の構成と同様であり、組立て式棚１００′の組立て式棚キットは、２枚の縦置きされる板部材１１０′および１２０′と、４枚の横置きされる板部材１３０′、１３０″、１４０′および１４０″と、である６枚の板部材１１０′、１２０′１３０′、１３０″、１４０′および１４０″を備える。
【０１１４】
組立て式棚２００′の構成は組立て式棚１００′の構成と同様であり、組立て式棚２００′の組立て式棚キットは、２枚の縦置きされる板部材２１０′および２２０′と、４枚の横置きされる板部材２３０′、２３０″、２４０′および２４０″と、である６枚の板部材２１０′、２２０′２３０′、２３０″、２４０′および２４０″を備える。
【０１１５】
４枚の縦置きされる板部材、１１０′および１２０′、ならびに２１０′および２２０′と、８枚の横置きされる板部材１３０′、１３０″、１４０′および１４０″、ならびに２３０′、２３０″、２４０′および２４０″と、４つの棚連結部材１６０′と、を利用して形成される９つの棚部屋の背面視における形状は、矩形形状である。９つの棚部屋のサイズについては、たとえば、組立て式棚奥行き方向における長さはおよそ２５０ミリメートルであり、組立て式棚高さ方向における長さはおよそ２５０ミリメートルであり、組立て式棚幅方向における長さはおよそ３８０ミリメートルである。
【０１１６】
（Ｃ）なお、図１６に示されているように、板部材３１０、３２０および３３０には、組立て式棚３００が組立てられたときに板部材３１０、３２０および３３０を屈曲させるための折り目３１１、３２１および３３１が形成されていてもよい。
【０１１７】
ここに、図１６は、本発明における第１０の別の実施の形態の組立て式棚３００の模式的な背面図である。
【０１１８】
図１６においては、組立て式棚３００を後側から見ている。
【０１１９】
組立て式棚３００の構成は組立て式棚１００の構成と同様であり、組立て式棚３００の組立て式棚キットは、３枚の縦置きされる板部材３１０、３２０および３３０と、４枚の横置きされる板部材３４０、３５０、３６０および３７０と、である７枚の板部材３１０、３２０、３３０、３４０、３５０、３６０および３７０を備える。板部材３１０は組立て式棚３００の後側から見て左側の板部材として使用されており、板部材３２０は組立て式棚３００の後側から見て中央の板部材として使用されており、板部材３３０は組立て式棚２００の後側から見て右側の板部材として使用されている。板部材３４０は屋上階の板部材として使用されており、板部材３５０は３階の板部材として使用されており、板部材３６０は２階の板部材として使用されており、板部材３７０は１階の板部材として使用されている。
【０１２０】
板部材３１０、３２０および３３０の上側の折り目としてそれぞれ使用されている、折り目印を利用して形成された折り目３１１、３２１および３３１は、３階の板部材として使用されている板部材３５０に対応付けられている。板部材３１０、３２０および３３０の下側の折り目としてそれぞれ使用されている、折り目印を利用して形成された折り目３１１、３２１および３３１は、２階の板部材として使用されている板部材３６０に対応付けられている。
【０１２１】
３枚の縦置きされる板部材３１０、３２０および３３０と、４枚の横置きされる板部材３４０、３５０、３６０および３７０と、を利用して形成される棚部屋の背面視における形状は、等脚台形形状である。このような等脚台形形状は、左右方向における揺れをともなう組立て式棚３００のひしゃげ変形、および３枚の縦置きされる板部材３１０、３２０および３３０、ならびに４枚の横置きされる板部材３４０、３５０、３６０および３７０に関しての組立て式棚３００の撓み変形を効果的に防止することができることがある。
【産業上の利用可能性】
【０１２２】
本発明における組立て式棚キットは、組立て式棚をよりたやすく組立てることができ、組立て式棚のための組立て式棚キットに利用する目的に有用である。
【符号の説明】
【０１２３】
１００  組立て式棚
１１０、１２０、１３０、１４０  板部材
１１１、１１２、１２１、１２２、１３１、１３２、１４１、１４２  組立てスリット
１５０  変形防止部材
１６０  棚連結部材
１６１  棚連結ピン
２００  組立て式棚
２１０、２２０、２３０、２４０  板部材
３００  組立て式棚
３１０、３２０、３３０、３４０、３５０、３６０、３７０  板部材
３１１、３２１、３３１  折り目
【図１】
2018175794.tif 000003
【図２】
2018175794.tif 000004
【図３】
2018175794.tif 000005
【図４】
2018175794.tif 000006
【図５】
2018175794.tif 000007
【図６】
2018175794.tif 000008
【図７】
2018175794.tif 000009
【図８】
2018175794.tif 000010
【図９】
2018175794.tif 000011
【図１０】
2018175794.tif 000012
【図１１】
2018175794.tif 000013
【図１２】
2018175794.tif 000014
【図１３】
2018175794.tif 000015
【図１４】
2018175794.tif 000016
【図１５】
2018175794.tif 000017
【図１６】
2018175794.tif 000018